(57)【要約】  布（４０ａ）へのトランスポンダ（４ａ）の設置けを簡素化するために、トランスポンダが、チップ（６）とそれに接続されたアンテナ（８、１０）とを含むトランスポンダ糸として構成されている。【選択図】図４
2008532122.tif 000002
【特許請求の範囲】
【請求項１】
チップ（６、１６、３４）と前記チップに接続されたアンテナ（８，１０、１８、２０、３０、３２）とからなる少なくとも１つのトランスポンダ（４ａ、４ｂ、１４ａ、１４ｂ、２８ａ、２８ｂ）を含むことを特徴とするトランスポンダ糸。
【請求項２】
前記アンテナが、２つのアンテナ部分（８、１０、１８、２０、３０、３２）で構成され、前記チップ（６、１６、３４）が前記２つのアンテナ部分の間に配設されていることを特徴とする請求項１記載のトランスポンダ糸。
【請求項３】
それぞれが、前記チップ（６、１６、３４）と前記チップに接続された前記アンテナ（８，１０、１８、２０、３０、３２）とからなる、直列に配設された複数のトランスポンダ（４ａ、４ｂ、１４ａ、１４ｂ、２８ａ、２８ｂ）を含むことを特徴とする請求項１または２記載のトランスポンダ糸。
【請求項４】
単数または複数の前記トランスポンダ（４ａ、４ｂ）のみからなることを特徴とする請求項１〜３のいずれか１項記載のトランスポンダ糸。
【請求項５】
単数または複数の前記トランスポンダ（１４ａ、１４ｂ）が、主に繊維製の基材（２２）内に配設されていることを特徴とする請求項１〜３のいずれか１項記載のトランスポンダ糸。
【請求項６】
前記複数のトランスポンダが、互いに独立して配設されていることを特徴とする請求項６記載のトランスポンダ糸。
【請求項７】
前記複数のトランスポンダ（４ａ、４ｂ、１４ａ、１４ｂ、２８ａ、２８ｂ）が、それぞれのチップ（６、１６、３４）の間に一体に延びるアンテナ部分（８、１０、１８、２０、３０、３２）を有し、これらのアンテナ部分がトランスポンダ糸の後加工時に切断（３６）されることを特徴とする請求項１〜５のいずれか１項記載のトランスポンダ糸。
【請求項８】
前記アンテナ（１８、２０）が１つの導電性糸からなることを特徴とする請求項１〜７のいずれか１項記載のトランスポンダ糸。
【請求項９】
前記アンテナ（８、１０）が編組導電性糸からなることを特徴とする請求項１〜７のいずれか１項記載のトランスポンダ糸。
【請求項１０】
前記アンテナが、基材の糸芯の周りに配設されていることを特徴とする請求項５記載のトランスポンダ糸。
【請求項１１】
扁平に形成され、前記チップ（３４）と前記アンテナ（３０、３２）とを有する前記トランスポンダ（２８ａ、２８ｂ）が、扁平に構成された基材（２６）の側面に配設されていることを特徴とする請求項５記載のトランスポンダ糸。
【請求項１２】
中心線に沿ってジグザグに配設されていることを特徴とする請求項１１記載のトランスポンダ糸。
【請求項１３】
少なくとも１つの前記トランスポンダ（４ａ、４ｂ、１４ａ、１４ｂ、２８ａ、２８ｂ）がラベル（４０ａ、４０ｂ）に配設されていることを特徴とする請求項１〜１２のいずれか１項記載のトランスポンダ糸のラベル内での使用。
【請求項１４】
前記トランスポンダ糸（２、１２、２４）が経糸（４４）として配設されていることを特徴とする請求項１３記載の使用。
【請求項１５】
前記トランスポンダ糸（２、１２、２４）が緯糸（４２）として配設されていることを特徴とする請求項１３記載の使用。
【請求項１６】
前記トランスポンダ糸（２、１２、２４）が前記ラベルの裏面に浮かせて配設されていることを特徴とする請求項１３記載の使用。
【発明の詳細な説明】
【技術分野】
【０００１】
本発明は、少なくとも１つのトランスポンダを有するトランスポンダ糸およびトランスポンダ糸の使用に関する。
【背景技術】
【０００２】
トランスポンダは周知の送受信機器であり、情報を担持し、信号応答システムに従って作動し、移動読取機器または固定読取機器と協動する。トランスポンダはチップとアンテナとを含んでいる。好適なチップはトランスポンダとして機能する超小型電子部品である。受動トランスポンダは能動トランスポンダとは異なり電源を必要とせず、従って事実上無制限の寿命を有する。
【０００３】
このようなトランスポンダは多種多様な機能を有し、例えば携帯者の所在地識別や販売店での製品盗難防止等の多種多様な目的に役立つ。トランスポンダが製品用に特殊なデータを含み、これらのデータがさらに倉庫管理部に転送されねばならないとき、トランスポンダは倉庫管理にも利用することができる。
【０００４】
このようなトランスポンダと織成または編成繊維布との結合は公知である。トランスポンダチップと繊維布との結合、そして信号の送信および／または受信に必要なアンテナの配置は諸問題を生じる。繊維布にアンテナを配設した後、そのアンテナにチップを固着する方法が公知である。そのような製造方法は、特にミリメートルオーダあるいはそれ以下の微小オーダの超小型部品である理由から極めて困難である。
【発明の開示】
【発明が解決しようとする課題】
【０００５】
本発明の課題は、繊維布へのトランスポンダの設置を簡素化することにある。
【課題を解決するための手段】
【０００６】
この課題は、チップと接続されたアンテナとからなる少なくとも１つのトランスポンダを含む請求項１記載のトランスポンダ糸によって解決される。このようなトランスポンダ糸は次に、例えば織成または編成によって繊維布と簡単に結合することができ、織成過程後または編成過程後に繊維布、例えばラベルは、既に利用可能状態にある。チップを追加的にアンテナに取付けることは省かれる。それに応じて本発明の対象はさらに、少なくとも１つのトランスポンダがラベルに配設されているような、請求項１３記載のトランスポンダ糸のラベルでの使用である。
【０００７】
本発明の有利な諸構成は請求項２〜１２および１４〜１６に述べられている。
【０００８】
トランスポンダは、一体なアンテナを備えたチップを有することができる。しかしトランスポンダ糸は主に、アンテナが２つのアンテナ部分からなり、アンテナ部分の間にチップが配設されているように構成されている。
【０００９】
トランスポンダ糸は、請求項３によれば、それぞれチップと接続されたアンテナとを備えて直列に配設される複数のトランスポンダを有することができ、トランスポンダ糸は通常の糸と同様に織成または編成に使用することができる。トランスポンダ糸は、請求項４によれば、並べられた複数のトランスポンダのみで構成することができ、チップはいわば真珠のネックレスのようにアンテナ上に並んで出現する。請求項５によれば、トランスポンダは、主に繊維製の基材の内部または表面に配設しておくこともできる。請求項７によりトランスポンダがそれらのチップの間に一体に延びるアンテナ部分を有する場合、これらのアンテナ部分はトランスポンダ糸の継続加工時に切断されねばならない。請求項６によれば、個々のトランスポンダは互いに独立して配設することもできる。請求項８によれば、アンテナは１つの導電性糸で構成することができる。請求項９によれば、アンテナを編組導電性糸で形成することが可能である。請求項１０によればさらに、アンテナを糸芯の周りに配設することが可能である。
【００１０】
トランスポンダ糸は多種多様な形状とすることができ、例えば円形横断面、または請求項１１により扁平横断面とすることができる。最後に指摘した事例では、チップとアンテナとを有するトランスポンダは基材の側面に配設することができる。その際、請求項１２によりトランスポンダ糸がその中心線に沿ってジグザグに配設され、基材がトランスポンダ及びそのチップとアンテナを包覆することが有利である。
【００１１】
ラベルの製造時、請求項１４によりトランスポンダ糸は経糸として配設することができる。請求項１５によれば、トランスポンダ糸を緯糸として配設することも可能である。トランスポンダ糸の配設は織成または編成によって行うことができる。しかし、請求項１６によれば、トランスポンダ糸を模様緯糸としてラベルの裏面に浮かせて配設することも可能である。
【００１２】
本発明の実施形態について図面を基に以下に詳細に説明する。
【発明を実施するための最良の形態】
【００１３】
図１に示すトランスポンダ糸２は、真珠のネックレスのように互いに連結されたトランスポンダ４ａ、４ｂを有する。各トランスポンダがそれぞれ１つのチップ６を含み、相反する側でこのチップにアンテナ部分８、１０が配設されており、アンテナ部分はそれぞれ隣接トランスポンダのアンテナ部分と一体に結合されている。アンテナ部分８、１０は例えば単一の導電性糸、または相互に撚り合わされた糸で構成され、円形横断面を有し、基材から露出しており、すなわち基材に埋め込まれていない。
【００１４】
図２に示す他のトランスポンダ糸１２は、列設された複数のトランスポンダ１４ａ、１４ｂを有し、それぞれのチップ１６とアンテナ１８、２０は、基材２２に埋め込まれている。このような基材は例えば紡糸した糸またはプラスチック製カバーで構成することができる。
【００１５】
図３に示す帯状トランスポンダ糸２４は、帯状基材２６を有し、この基材にトランスポンダ２８ａ、２８ｂが配設されている。帯状基材は例えば不織布または例えばルレックス（登録商標）糸等のプラスチック帯で構成することができる。基材２６の所定の長さよりも長い長さのアンテナを収容するために、アンテナ部分３０、３２はチップ３４の間にジグザグ状に配設されている。このようなアンテナは、例えば基材に被着した金属層のエッチングによって形成しておくことができる。
【００１６】
図１〜図３に示すトランスポンダ糸は、通常の糸と同様に繊維布内に挿入することができ、例えば、緯糸または経糸として、あるいは編糸として挿入することができる。２つのチップの間で連続するアンテナ部分はふつう半分の長さに切断する必要があり、これが一点鎖線の分離線３６によって図示されている。
【００１７】
製造されるべき繊維布、特にこのようなトランスポンダ糸を有するラベルの構成は、アンテナ部分の長さに関して、トランスポンダ糸の区域内に存在するトランスポンダが、チップの十分な機能を保証する長さ、すなわちチップに調整された長さのアンテナを有するようになされている。例えばＵＨＦ範囲内のトランスポンダ用には約１７ｃｍのアンテナ長が必要となる。
【００１８】
図４が示す各ラベル４０ａ、４０ｂでは、例えば、前記トランスポンダ糸が緯糸４２または経糸４４として配設されている。しかし、異なる目的のための異なる性質を有する２つ以上のトランスポンダを１つのラベルに備えることも可能である。その場合、例えば１つのトランスポンダを盗難防止に利用し、別のトランスポンダを資材管理に利用するようにできる。
【図面の簡単な説明】
【００１９】
【図１】チップとアンテナ部分のみからなる第１実施形態のトランスポンダ糸を平面図で示す。
【図２】円形基材内に配設されるトランスポンダを有する第２実施形態のトランスポンダ糸を縦断面図で示す。
【図３】扁平基材に配設されるトランスポンダを有する第３実施形態のトランスポンダ糸を平面図で示す。
【図４】糸状トランスポンダ糸を有するラベルを平面図で示す。
【符号の説明】
【００２０】
２  トランスポンダ糸
４ａ  トランスポンダ
４ｂ  トランスポンダ
６  チップ
８  アンテナ部分
１０  アンテナ部分
１２  トランスポンダ糸
１４ａ  トランスポンダ
１４ｂ  トランスポンダ
１６  チップ
１８  アンテナ部分
２０  アンテナ部分
２２  基材
２４  トランスポンダ糸
２６  基材
２８ａ  トランスポンダ
２８ｂ  トランスポンダ
３０  アンテナ部分
３２  アンテナ部分
３４  チップ
３６  分離線
４０ａ  ラベル
４０ｂ  ラベル
４２  緯糸
４４  経糸
【図１】
2008532122.tif 000003
【図２】
2008532122.tif 000004
【図３】
2008532122.tif 000005
【図４】
2008532122.tif 000006
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
チップ（６、１６、３４）と前記チップに接続されたアンテナ（８，１０、１８、２０、３０、３２）とからなる少なくとも１つのトランスポンダ（４ａ、４ｂ、１４ａ、１４ｂ、２８ａ、２８ｂ）を含む、織成または編成に使用可能なトランスポンダ糸であって、
前記アンテナが、２つのアンテナ部分（８、１０、１８、２０、３０、３２）で構成され、前記チップ（６、１６、３４）が前記２つのアンテナ部分の間に配設されており、このようなトランスポンダ（４ａ、４ｂ、１４ａ、１４ｂ、２８ａ、２８ｂ）が複数直列に配設されていることを特徴とするトランスポンダ糸。
【請求項２】
単数または複数の前記トランスポンダ（４ａ、４ｂ）のみからなることを特徴とする請求項１記載のトランスポンダ糸。
【請求項３】
単数または複数の前記トランスポンダ（１４ａ、１４ｂ）が、繊維製の基材（２２）内に配設されていることを特徴とする請求項１または２記載のトランスポンダ糸。
【請求項４】
前記複数のトランスポンダが、互いに独立して配設されていることを特徴とする請求項１記載のトランスポンダ糸。
【請求項５】
前記複数のトランスポンダ（４ａ、４ｂ、１４ａ、１４ｂ、２８ａ、２８ｂ）が、それぞれのチップ（６、１６、３４）の間に一体に延びるアンテナ部分（８、１０、１８、２０、３０、３２）を有し、これらのアンテナ部分がトランスポンダ糸の後加工時に切断（３６）されることを特徴とする請求項１〜４のいずれか１項記載のトランスポンダ糸。
【請求項６】
前記アンテナ（１８、２０）が１つの導電性糸からなることを特徴とする請求項１〜５のいずれか１項記載のトランスポンダ糸。
【請求項７】
前記アンテナ（８、１０）が編組導電性糸からなることを特徴とする請求項１〜５のいずれか１項記載のトランスポンダ糸。
【請求項８】
前記アンテナが、基材の糸芯の周りに配設されていることを特徴とする請求項３記載のトランスポンダ糸。
【請求項９】
扁平に形成され、前記チップ（３４）と前記アンテナ（３０、３２）とを有する前記トランスポンダ（２８ａ、２８ｂ）が、扁平に構成された基材（２６）の側面に配設されていることを特徴とする請求項３記載のトランスポンダ糸。
【請求項１０】
中心線に沿ってジグザグに配設されていることを特徴とする請求項９記載のトランスポンダ糸。
【請求項１１】
少なくとも１つの前記トランスポンダ（４ａ、４ｂ、１４ａ、１４ｂ、２８ａ、２８ｂ）がラベル（４０ａ、４０ｂ）に配設されていることを特徴とする請求項１〜１０のいずれか１項記載のトランスポンダ糸を使用した製品。
【請求項１２】
前記トランスポンダ糸（２、１２、２４）が経糸（４４）として配設されていることを特徴とする請求項１１記載の製品。
【請求項１３】
前記トランスポンダ糸（２、１２、２４）が緯糸（４２）として配設されていることを特徴とする請求項１１記載の製品。
【請求項１４】
前記トランスポンダ糸（２、１２、２４）が前記ラベルの裏面に浮かせて配設されていることを特徴とする請求項１１記載の製品。
【手続補正２】
【補正対象書類名】明細書
【補正対象項目名】全文
【補正方法】変更
【補正の内容】
【発明の詳細な説明】
【技術分野】
【０００１】
本発明は、少なくとも１つのトランスポンダを有するトランスポンダ糸およびトランスポンダ糸を使用した製品に関する。
【背景技術】
【０００２】
トランスポンダは周知の送受信機器であり、情報を担持し、信号応答システムに従って作動し、移動読取機器または固定読取機器と協動する。トランスポンダはチップとアンテナとを含んでいる。好適なチップはトランスポンダとして機能する超小型電子部品である。受動トランスポンダは能動トランスポンダとは異なり電源を必要とせず、従って事実上無制限の寿命を有する。
【０００３】
このようなトランスポンダは多種多様な機能を有し、例えば携帯者の所在地識別や販売店での製品盗難防止等の多種多様な目的に役立つ。トランスポンダが製品用に特殊なデータを含み、これらのデータがさらに倉庫管理部に転送されねばならないとき、トランスポンダは倉庫管理にも利用することができる。
【０００４】
このようなトランスポンダと織成または編成繊維布との結合は公知である。トランスポンダチップと繊維布との結合、そして信号の送信および／または受信に必要なアンテナの配置は諸問題を生じる。繊維布にアンテナを配設した後、そのアンテナにチップを固着する方法が公知である。そのような製造方法は、特にミリメートルオーダあるいはそれ以下の微小オーダの超小型部品である理由から極めて困難である。
【発明の開示】
【発明が解決しようとする課題】
【０００５】
本発明の課題は、繊維布へのトランスポンダの設置を簡素化することにある。
【課題を解決するための手段】
【０００６】
この課題は、チップと接続されたアンテナとからなる少なくとも１つのトランスポンダを含む請求項１記載のトランスポンダ糸によって解決される。このようなトランスポンダ糸は次に、例えば織成または編成によって繊維布と簡単に結合することができ、織成過程後または編成過程後に繊維布、例えばラベルは、既に利用可能状態にある。チップを追加的にアンテナに取付けることは省かれる。それに応じて本発明の対象はさらに、少なくとも１つのトランスポンダがラベルに配設されているような、トランスポンダ糸のラベルでの使用である。
【０００７】
本発明の有利な諸構成は各従属請求項に述べられている。
【０００８】
トランスポンダは、一体なアンテナを備えたチップを有することができる。しかしトランスポンダ糸は主に、アンテナが２つのアンテナ部分からなり、アンテナ部分の間にチップが配設されているように構成されている。
【０００９】
トランスポンダ糸は、それぞれチップと接続されたアンテナとを備えて直列に配設される複数のトランスポンダを有することができ、トランスポンダ糸は通常の糸と同様に織成または編成に使用することができる。トランスポンダ糸は、並べられた複数のトランスポンダのみで構成することができ、チップはいわば真珠のネックレスのようにアンテナ上に並んで出現する。トランスポンダは、主に繊維製の基材の内部または表面に配設しておくこともできる。トランスポンダがそれらのチップの間に一体に延びるアンテナ部分を有する場合、これらのアンテナ部分はトランスポンダ糸の継続加工時に切断されねばならない。また、個々のトランスポンダは互いに独立して配設することもできる。また、アンテナは１つの導電性糸で構成することができ、さらに、アンテナを編組導電性糸で形成することが可能である。さらに、アンテナを糸芯の周りに配設することが可能である。
【００１０】
トランスポンダ糸は多種多様な形状とすることができ、例えば円形横断面、または扁平横断面とすることができる。最後に指摘した事例では、チップとアンテナとを有するトランスポンダは基材の側面に配設することができる。その際、トランスポンダ糸がその中心線に沿ってジグザグに配設され、基材がトランスポンダ及びそのチップとアンテナを包覆することが有利である。
【００１１】
ラベルの製造時、トランスポンダ糸は経糸として配設することができる。あるいは、トランスポンダ糸を緯糸として配設することも可能である。トランスポンダ糸の配設は織成または編成によって行うことができる。さらには、トランスポンダ糸を模様緯糸としてラベルの裏面に浮かせて配設することも可能である。
【００１２】
本発明の実施形態について図面を基に以下に詳細に説明する。
【発明を実施するための最良の形態】
【００１３】
図１に示すトランスポンダ糸２は、真珠のネックレスのように互いに連結されたトランスポンダ４ａ、４ｂを有する。各トランスポンダがそれぞれ１つのチップ６を含み、相反する側でこのチップにアンテナ部分８、１０が配設されており、アンテナ部分はそれぞれ隣接トランスポンダのアンテナ部分と一体に結合されている。アンテナ部分８、１０は例えば単一の導電性糸、または相互に撚り合わされた糸で構成され、円形横断面を有し、基材から露出しており、すなわち基材に埋め込まれていない。
【００１４】
図２に示す他のトランスポンダ糸１２は、列設された複数のトランスポンダ１４ａ、１４ｂを有し、それぞれのチップ１６とアンテナ１８、２０は、基材２２に埋め込まれている。このような基材は、例えば紡績糸または樹脂による被覆で構成することができる。
【００１５】
図３に示す帯状トランスポンダ糸２４は、帯状基材２６を有し、この基材にトランスポンダ２８ａ、２８ｂが配設されている。帯状基材は例えば不織布または例えばルレックス（登録商標）糸等のプラスチック帯で構成することができる。基材２６の所定の長さよりも長い長さのアンテナを収容するために、アンテナ部分３０、３２はチップ３４の間にジグザグ状に配設されている。このようなアンテナは、例えば基材に被着した金属層のエッチングによって形成しておくことができる。
【００１６】
図１〜図３に示すトランスポンダ糸は、通常の糸と同様に繊維布内に挿入することができ、例えば、緯糸または経糸として、あるいは編糸として挿入することができる。２つのチップの間で連続するアンテナ部分はふつう半分の長さに切断する必要があり、これが一点鎖線の分離線３６によって図示されている。
【００１７】
製造されるべき繊維布、特にこのようなトランスポンダ糸を有するラベルの構成は、アンテナ部分の長さに関して、トランスポンダ糸の区域内に存在するトランスポンダが、チップの十分な機能を保証する長さ、すなわちチップに調整された長さのアンテナを有するようになされている。例えばＵＨＦ範囲内のトランスポンダ用には約１７ｃｍのアンテナ長が必要となる。
【００１８】
図４が示す各ラベル４０ａ、４０ｂでは、例えば、前記トランスポンダ糸が緯糸４２または経糸４４として配設されている。しかし、異なる目的のための異なる性質を有する２つ以上のトランスポンダを１つのラベルに備えることも可能である。その場合、例えば１つのトランスポンダを盗難防止に利用し、別のトランスポンダを資材管理に利用するようにできる。
【図面の簡単な説明】
【００１９】
【図１】チップとアンテナ部分のみからなる第１実施形態のトランスポンダ糸を平面図で示す。
【図２】円形基材内に配設されるトランスポンダを有する第２実施形態のトランスポンダ糸を縦断面図で示す。
【図３】扁平基材に配設されるトランスポンダを有する第３実施形態のトランスポンダ糸を平面図で示す。
【図４】糸状トランスポンダ糸を有するラベルを平面図で示す。
【符号の説明】
【００２０】
２  トランスポンダ糸
４ａ  トランスポンダ
４ｂ  トランスポンダ
６  チップ
８  アンテナ部分
１０  アンテナ部分
１２  トランスポンダ糸
１４ａ  トランスポンダ
１４ｂ  トランスポンダ
１６  チップ
１８  アンテナ部分
２０  アンテナ部分
２２  基材
２４  トランスポンダ糸
２６  基材
２８ａ  トランスポンダ
２８ｂ  トランスポンダ
３０  アンテナ部分
３２  アンテナ部分
３４  チップ
３６  分離線
４０ａ  ラベル
４０ｂ  ラベル
４２  緯糸
４４  経糸
【国際調査報告】
2008532122.tif 000007
2008532122.tif 000008
2008532122.tif 000009
2008532122.tif 000010
2008532122.tif 000011
2008532122.tif 000012